(57)【要約】【課題】  物を確実に収容したり、物を手軽に置いたりできて使い勝手が良く、しかも、占有スペースが大きくなることがないコンソールボックスを提供する。【解決手段】  内部に物収容室が設けられたコンソールボックス本体３と、コンソールボックス本体３に支持され、物収容室６の上方を開閉する蓋体４と、コンソールボックス本体３内に収容される収容位置とコンソールボックス本体３外に突出される使用位置との間でスライド移動自在に設けられた物品ホルダー５とを備えた。【選択図】      図１
2005082067.tif 000002
【特許請求の範囲】
【請求項１】
内部に物収容室（６）が設けられたコンソールボックス本体（３）と、前記コンソールボックス本体（３）に支持され、前記物収容室（６）を開閉する蓋体（４）と、前記コンソールボックス本体（３）内に収容される収容位置と前記コンソールボックス本体（３）外に突出される使用位置との間で移動自在に設けられた物品ホルダー（５）とを備えたことを特徴とするコンソールボックス（２Ａ）〜（２Ｄ）。
【請求項２】
請求項１記載のコンソールボックス（２Ａ）〜（２Ｄ）であって、
前記コンソールボックス本体（３）は、運転席と助手席との間に配置された仕切フロア部材（１）上に固定された外壁（７）と、前記外壁（７）の内側に一体に形成され、且つ、内部が前記物収容室（６）とされる内壁（８）とを有し、前記仕切フロア部材（１）の上位置で、且つ、前記外壁（７）と前記内壁（８）によって形成される隙間スペース（Ｓ）が前記物品ホルダー（５）の収容位置に使用されたことを特徴とするコンソールボックス（２Ａ）〜（２Ｄ）。
【請求項３】
請求項２記載のコンソールボックス（２Ａ）〜（２Ｄ）であって、
前記物品ホルダー（３）はコンソールボックス本体（３）にスライド自在に設けられ、前記物品ホルダー（３）がスライド移動によって前記コンソールボックス本体（３）に対し引き出し、収容自在に設けられたことを特徴とするコンソールボックス（２Ａ）〜（２Ｄ）。
【請求項４】
請求項３記載のコンソールボックス（２Ａ）〜（２Ｄ）であって、
前記コンソールボックス本体（３）に一対のレール部（９）が設けられ、前記物品ホルダー（５）に前記各レール部（９）に係止される一対のレール係止部（１３）が設けられたことを特徴とするコンソールボックス（２Ａ）〜（２Ｄ）。
【請求項５】
請求項１〜請求項４記載のコンソールボックス（２Ａ）〜（２Ｄ）であって、
前記物品ホルダー（５）は、前記コンソールボックス本体（３）の車体前方向（ｔ１）と車体後方向（ｔ２）のいずれか一方、又は、双方に向かって引き出されることを特徴とするコンソールボックス（２Ａ）〜（２Ｄ）。
【発明の詳細な説明】
【技術分野】
【０００１】
本発明は、自動車の運転席と助手席との間に設置されるコンソールボックスに関する。
【背景技術】
【０００２】
従来より種々のコンソールボックスが提案されている。特許文献１は、その一例としてのコンソールボックスを開示する。
上記コンソールボックス５０は、図７に示すように、上面及び後面が開口された外側ボックス体５１と、この外側ボックス体５１の内部にスライド自在に配置され、上面及び前面が開口された内側ボックス体５２と、この内側ボックス体５２の上端に回転自在に支持された蓋体５３とを備え、内側ボックス体５２と外側ボックス体５１に囲まれた内部が物収容室５４とされている。
【０００３】
このコンソールボックス５０によれば、内側ボックス体５２を外側ボックス体５１に対して移動することによって物収容室５４の容積が可変できるため、ハンドバック５５などの大きな物も収容でき、又、収容物が少ない時には占有スペースを小さくできるものである。
【特許文献１】特開２０００−２５５３２３号公報
【発明の開示】
【発明が解決しようとする課題】
【０００４】
しかしながら、前記従来のコンソールボックス５０では、物収容室５４に物を収容したり、又、物収容室５４から物を取り出す際には蓋体５３を開閉しなければならず、物によっては非常に面倒な動作を強いられるという問題がある。つまり、小銭、飲み物、整理券等は、手軽に置いたり、取ったりできる場所に収容する方が使い勝手が良い場合もある。
【０００５】
ここで、物収容室５４以外に手軽な物品載置部をコンソールボックス５０に付加すると、コンソールボックス５０の占有スペースが大きくなる。又、このような物品載置部は常時使用するものではなく、必要な時のみあれば足りる。
【０００６】
そこで、本発明は、上述した事情に鑑みてなされたものであり、物を確実に収容したり、物を手軽に置いたりできて使い勝手が良く、しかも、占有スペースが大きくなることがないコンソールボックスを提供することを目的とする。
【課題を解決するための手段】
【０００７】
前記課題を達成するために、請求項１の発明は、内部に物収容室が設けられたコンソールボックス本体と、前記コンソールボックス本体に支持され、前記物収容室の上方を開閉する蓋体と、前記コンソールボックス本体内に収容される収容位置と前記コンソールボックス本体外に突出される使用位置との間で移動自在に設けられた物品ホルダーとを備えたことを特徴とする。
【０００８】
請求項２の発明は、請求項１記載のコンソールボックスであって、前記コンソールボックス本体は、運転席と助手席との間に配置された仕切フロア部材上に固定された外壁と、前記外壁の内側に一体に形成され、且つ、内部が前記物収容室とされる内壁とを有し、前記仕切フロア部材の上位置で、且つ、前記外壁と前記内壁によって形成される隙間スペースが前記物品ホルダーの収容位置に使用されたことを特徴とする。
【０００９】
請求項３の発明は、請求項２記載のコンソールボックスであって、前記物品ホルダーはコンソールボックス本体にスライド自在に設けられ、前記物品ホルダーがスライド移動によって前記コンソールボックス本体に対し引き出し、収容自在に設けられたことを特徴とする。
【００１０】
請求項４の発明は、請求項３記載のコンソールボックスであって、前記コンソールボックス本体に一対のレール部が設けられ、前記物品ホルダーに前記各レール部に係止される一対のレール係止部が設けられたことを特徴とする。
【００１１】
請求項５の発明は、請求項１〜請求項４記載のコンソールボックスであって、前記物品ホルダーは、前記コンソールボックス本体の車体前方向と車体後方向のいずれか一方、又は、双方に向かって引き出されることを特徴とする。
【発明の効果】
【００１２】
請求項１の発明によれば、大事な物で確実に保管したい物は物収容室に収容し、例えば小銭、飲み物のように手軽な場所に単に置きたい物は使用位置に位置した物品ホルダーに載置等しておけば良いため、物を確実に収容したり、物を手軽に置いたりできて使い勝手が良い。又、物品ホルダーを使用しない時には物品ホルダーをコンソールボックス本体内に収容できるため、コンソールボックスの占有スペースが大きくなることがない。
【００１３】
請求項２の発明によれば、請求項１の発明の作用・効果に加え、コンソールボックス本体のデッドスペースを利用して物品ホルダーを設置できるため、従来のコンソールボックスと同じ大きさで物品ホルダーを付加できる。
【００１４】
請求項３の発明によれば、請求項２の発明の作用・効果に加え、物品ホルダーをスライド移動で操作できるため、操作が容易である。
請求項４の発明は、請求項３の発明の作用・効果に加え、物品ホルダーのスライドがスムーズである。
【００１５】
請求項５の発明によれば、請求項１〜請求項４の発明の作用・効果に加え、運転者や助手席の者の邪魔になることなく、物品ホルダーを使用位置に位置させることができる。
【発明を実施するための最良の形態】
【００１６】
以下、本発明の一実施形態を図面に基づいて説明する。
図１〜図３は、本発明の第１実施形態を示し、図１はコンソールボックス２Ａの斜視図、図２はコンソールボックス２Ａの断面図、図３（ａ）はホルダー部材５が収容位置に位置する状態を示す断面図、図３（ｂ）はホルダー部材５が使用位置に位置する状態を示す断面図である。
【００１７】
図１〜図３に示すように、運転席と助手席との間のフロア側には他の部分より一段高い仕切フロア部材１が設けられ、この仕切フロア部材１の上面にコンソールボックス２Ａが設置されている。
【００１８】
コンソールボックス２Ａは、内部に物収容室６が設けられたコンソールボックス本体３と、このコンソールボックス本体３の上端側に回転自在に支持され、物収容室６の上方を開閉する蓋体４と、コンソールボックス本体３内に収容される収容位置とコンソールボックス本体３外に突出される使用位置との間で移動自在に設けられた物品ホルダー５とを備えている。
【００１９】
コンソールボックス本体３は、仕切フロア部材１上に固定され、全側面を囲むように設けられた略長方体状の外壁７と、この外壁７の上端で連結され、且つ、外壁７の内側に配置された内壁８とを有する。この内壁８は、上面が開口された有底の略長方体状を有し、その内部が上述の物収容室６として形成されている。外壁７と内壁８とは合成樹脂材より射出成形によって一体で形成され、射出成形時の型抜きの関係から、外壁７は上方から下方に向かって徐々に外側に広がる方向に傾斜され、反対に、内壁８は下方から上方に向かって徐々に外側に広がる方向に傾斜されている。外壁７の左右の内面には車体前後方向に延設された一対のレール部９が設けられている。
【００２０】
物品ホルダー５は、フラットで、且つ、開口のない底面部１０と、この底面部１０の両側より立設された一対の側面部１１と、底面部１０の引出し前方端より立設された操作片部１２とから構成されている。一対の側面部１１にはレール係止部１３がそれぞれ設けられており、この一対のレール係止部１３が外壁７の一対のレール部９にスライド自在に係止されている。一対のレール部９を一対のレール係止部１３がスライドすることによって、物品ホルダー５は、コンソールボックス本体３内に収容される収容位置（図３（ａ）の位置）とコンソールボックス本体３より車体前方向ｔ１に突出する使用位置（図３（ｂ）の位置）との間で変移できるようになっている。物品ホルダー５の収容位置は、仕切フロア部材１の上位置で、且つ、外壁７と内壁８によって形成される隙間スペースＳ（図２に示す）を利用して設定されている。
【００２１】
又、物品ホルダー５が使用位置より更に車体前方向ｔ１にスライドしないようにストッパ部１４ａ，１４ｂ（図３に示す）が物品ホルダー５と内壁８にそれぞれ設けられている。これにより、物品ホルダー５は、車体前方向ｔ１に必要以上に強い引き出し力を加えられてもコンソールボックス本体３より脱落しないようになっている。
【００２２】
上記構成において、大事な物で確実に保管したい物は、物収容室６に収容する。例えば小銭、整理券で手軽な場所に単に置きたい物は、物品ホルダー５を使用位置としてその上に載置する。従って、物を確実に収容したり、物を手軽に置いたりできて使い勝手が良い。又、物品ホルダー５を使用しない時には、コンソールボックス本体３内に収容できるため、コンソールボックス２Ａの占有スペースが大きくなることがない。更に、物収容室６にこれより背の高い物を収容すると蓋体４を閉じることができない。このような背の高い物を載置する場所として物品ホルダー５を利用することもできる。
【００２３】
この第１実施形態では、コンソールボックス本体３は、仕切フロア部材１上に固定された外壁７と、外壁７の内側に一体に形成され、且つ、内部に物収容室６が形成された内壁８とを有し、仕切フロア部材１の上位置で、且つ、外壁７と内壁８によって形成される隙間スペースＳが物品ホルダー５の収容位置に使用されたので、コンソールボックス本体３のデッドスペースを利用して物品ホルダー５を設置できる。従って、従来のコンソールボックスと同じ大きさで物品ホルダー５を付加できる。
【００２４】
この第１実施形態では、物品ホルダー５がコンソールボックス本体３にスライド自在に設けられ、物品ホルダー５がスライド移動によって引き出し、収容自在に設けられたので、物品ホルダー５をスライド移動で操作できる。従って、操作が容易である。又、外壁７に一対のレール部９が設けられ、物品ホルダー５に一対のレール部９にスライド自在に係止されたレール係止部１３が設けられたので、物品ホルダー５のスライドがスムーズにできる。尚、内壁８に一対のレール部９を設けても良い。
【００２５】
この第１実施形態では、物品ホルダー５は、コンソールボックス本体３の車体前方向ｔ１に向かって引き出されるので、運転者や助手席の者の邪魔になることなく、物品ホルダー５を使用位置に位置させることができる。又、物品ホルダー５を車体後方向ｔ２に向かって引き出されるよう設けても同様の効果が期待できる。又、コンソールボックス２Ａの車体前後に共に余裕スペースがある場合には、２つの物品ホルダー５をスライド自在に設け、各物品ホルダー５を車体前方向ｔ１と車体後方向ｔ２の双方に共に引き出しできるよう設けても良い。
【００２６】
図４は第２実施形態のコンソールボックス２Ｂの斜視図を示す。図４に示すように、この第２実施形態のコンソールボックス２Ｂと前記第１実施形態のコンソールボックス２Ａとを比較するに、物品ホルダー５の構成のみが相違する。つまり、第２実施形態の物品ホルダー５には、その底面部１０に大きな開口部２０が形成されている。他の構成は前記第１実施形態と同一であるので、図面の同一構成箇所には同一符号を付してその説明を省略する。
【００２７】
この第２実施形態によれば、大径のペットボトルなどを物品ホルダー５の開口部２０に挿入し、挿入したペットボトルを仕切フロア部材１上に載置して保持できる。これにより、大径のペットボトル等を手軽に置くことができる。
【００２８】
図５は第３実施形態のコンソールボックス２Ｃの斜視図を示す。図５に示すように、この第３実施形態のコンソールボックス２Ｃと前記第１実施形態のコンソールボックス２Ａとを比較するに、物品ホルダー５の構成のみが相違する。つまり、第３実施形態の物品ホルダー５には、その底面部１０に小さな円孔２１が２つ形成されている。他の構成は前記第１実施形態と同一であるので、図面の同一構成箇所には同一符号を付してその説明を省略する。
【００２９】
この第３実施形態によれば、小径のペットボトル、缶ジュースなどを物品ホルダー５の円孔２１に挿入して保持できる。これにより、小径のペットボトル、缶ジュースを手軽に置くことができる。
【００３０】
図６は第４実施形態のコンソールボックス２Ｄの斜視図を示す。図６に示すように、この第４実施形態のコンソールボックス２Ｄと前記第１実施形態のコンソールボックス２Ａとを比較するに、物品ホルダー５の構成のみが相違する。つまり、第４実施形態の物品ホルダー５には、その底面部１０が網目に形成されている。他の構成は前記第１実施形態と同一であるので、図面の同一構成箇所には同一符号を付してその説明を省略する。
【００３１】
この第４実施形態によれば、小銭、整理券等の網目より落下しない物を網目の底面部１０上に載置できる。網目より小さな物は載置できないが、載置した小銭、整理券等を掴みやすいという利点がある。
【図面の簡単な説明】
【００３２】
【図１】本発明の第１実施形態を示し、コンソールボックスの斜視図である。
【図２】本発明の第１実施形態を示し、コンソールボックスの断面図である。
【図３】本発明の第１実施形態を示し、（ａ）はホルダー部材が収容位置に位置する状態を示す断面図、（ｂ）はホルダー部材が使用位置に位置する状態を示す断面図である。
【図４】本発明の第２実施形態を示し、コンソールボックスの斜視図である。
【図５】本発明の第３実施形態を示し、コンソールボックスの斜視図である。
【図６】本発明の第４実施形態を示し、コンソールボックスの斜視図である。
【図７】従来例のコンソールボックスの斜視図である。
【符号の説明】
【００３３】
１  仕切フロア
２Ａ〜２Ｄ  コンソールボックス
３  コンソールボックス本体
４  蓋体
５  物品ホルダー
６  物収容室
７  外壁
８  内壁
９  レール部
１３  レール係止部
Ｓ  隙間スペース
ｔ１  車体前方向
ｔ２  車体後方向
【図１】
2005082067.tif 000003
【図２】
2005082067.tif 000004
【図３】
2005082067.tif 000005
【図４】
2005082067.tif 000006
【図５】
2005082067.tif 000007
【図６】
2005082067.tif 000008
【図７】
2005082067.tif 000009